(57)【要約】【課題】窒素含有汚水の処理に用いる菌体保持担体において、該担体に加わる水流等の刺激によって、該担体から菌体が剥離してしまうことを抑止することが可能な技術を提供する。【解決手段】生物学的反応を利用した汚水処理のための菌体を保持し、液体に浸漬して使用される固定型の菌体保持担体１００であって、前記菌体が内側の壁面に固着可能な貫通構造１０２を有しており、前記貫通構造は、前記菌体保持担体が使用されるときに、前記菌体保持担体を横断する方向に貫通することを特徴とする、菌体保持担体。【選択図】図３
2018167229.tif 000002
【特許請求の範囲】
【請求項１】
生物学的反応を利用した汚水処理のための菌体を保持し、液体に浸漬して使用される固定型の菌体保持担体であって、
前記菌体が内側の壁面に固着可能な貫通構造を有しており、
前記貫通構造は、前記菌体保持担体が使用されるときに、前記菌体保持担体を横断する方向に貫通する
ことを特徴とする、菌体保持担体。
【請求項２】
前記貫通構造は、前記菌体保持担体を貫通する貫通孔であることを特徴とする請求項１に記載の菌体保持担体。
【請求項３】
複数の前記貫通構造を有することを特徴とする請求項１または２に記載の菌体保持担体。
【請求項４】
前記菌体はアナモックス菌であることを特徴とする請求項１から３のいずれか一項に記載の菌体保持担体。
【請求項５】
請求項１から４のいずれか一項に記載の菌体保持担体と、
前記菌体保持担体の貫通構造に対し直交方向に液体が流動する処理槽と、
を備える汚水処理装置。
【請求項６】
請求項１から４のいずれか一項に記載の菌体保持担体が浸漬された汚水処理装置。
【請求項７】
請求項１から４のいずれか一項に記載の菌体保持担体を前記菌体の培養液に浸漬することで、前記菌体保持担体に前記菌体を保持させる工程と、
前記菌体が保持された前記菌体保持担体を、前記培養液から引き上げる工程と、
前記培養液から引き上げられた前記菌体保持担体を、汚水処理のための処理槽に移設する工程と、
を有することを特徴とする汚水処理装置の立ち上げ方法。
【発明の詳細な説明】
【技術分野】
【０００１】
本発明は窒素含有汚水の処理に関し、具体的には脱窒処理に関する。さらに詳細には、脱窒処理に用いる菌体保持担体、及び汚水処理装置に関する。
【背景技術】
【０００２】
従来、下水処理場、し尿処理場、各種浄化槽等における汚水の処理手段として、活性汚泥法が広く用いられている。これは、有機性汚水中に存在する細菌等の微生物の代謝に有機物（及び一部の無機塩類）が必要であることを利用し、該微生物に水中汚濁物質としての有機物を酸化分解または吸収分離させることで、汚水を処理する方法である。
【０００３】
上記の汚水処理方法においては、微生物量を多く保つ目的で、担体が用いられることがある。そして、このような担体として、紐状担体、網状担体、編物状担体、パイル状担体、シート状担体など、様々な形状のものが知られている（例えば、特許文献１〜３）。
【０００４】
近年、汚水中の窒素を除去する技術として、嫌気性・独立栄養性細菌であるアナモックス菌を用いて、汚水中のアンモニア性窒素及び亜硝酸性窒素を窒素ガスに変換するアナモックス反応による窒素除去技術が注目されている。
【０００５】
アナモックス反応による窒素除去技術は、硝化脱窒法などの従来法と比較して、曝気のためのコストを低くすることができる、炭素源を必要としない、（処理速度が速いため）処理槽を小型化できる、余剰汚泥の発生が少ない、などの利点を有している。
【０００６】
一方、アナモックス菌は、増殖させるのが難しく、短時間でアナモックス菌を処理槽内に増殖させるのが困難であるため、アナモックス反応による脱窒処理を行う汚水処理装置（設備）の立ち上げには時間を要することになる。このため、短時間でアナモックス菌を処理槽内に高密度に保持させることを可能とする廃水処理装置が提案されている（特許文献４）。
【０００７】
また、予め菌体保持担体にアナモックス菌を増殖させておき、これを移設するという手法を用いれば、装置の立ち上げと同時に（即ちタイムラグを生じさせずに）、所定の処理能力を発揮することが可能になる。具体的には、新規な汚水処理装置を立ち上げる際に、それに先だって既存の培養槽で予めアナモックス菌を馴養、増殖させておき、装置の立ち上げ時に、当該増殖済みのアナモックス菌を、培養槽から新規装置の処理槽に移設するとよい。このように事前の馴養、増殖及び移設は、菌体保持担体上にアナモックス菌を増殖させ、当該担体ごとアナモックス菌を移設することによっても行うことが可能である。
【先行技術文献】
【特許文献】
【０００８】
【特許文献１】特開２００１−１９１０９０号公報
【特許文献２】特開２０１２−２０２６２号公報
【特許文献３】特開２０１３−１２１５５８号公報
【特許文献４】特開２０１５−２２９１３１号公報
【発明の概要】
【発明が解決しようとする課題】
【０００９】
ところで、アナモックス菌は、粒状に菌塊を形成しながら増殖していく（以下、造粒と
もいう）性状を有しているため、増殖が進むと自重、水流などの刺激によって担体から剥離し易くなるという問題がある。アナモックス菌のこのような特性は、上記のように担体上に増殖させたアナモックス菌を移設する際に、特に問題になる。即ち、培養槽から担体を引き上げる際などに上下方向の水流が生じること、浮力がない状態で菌塊の自重が加わること、によって多くの菌塊が剥離してしまうという問題である。
【００１０】
本発明は、上記のような状況に鑑み、窒素含有汚水の処理に用いる菌体保持担体において、該担体に加わる水流等の刺激によって、該担体から菌体が剥離してしまうことを抑止することが可能な技術を提供することを目的とする。
【課題を解決するための手段】
【００１１】
前記の目的を達成するために、本発明は以下の構成を採用する。
【００１２】
本発明に係る菌体保持担体は、生物学的反応を利用した汚水処理のための菌体を保持し、液体に浸漬して使用される固定型の菌体保持担体であって、前記菌体が内側の壁面に固着可能な貫通構造を有しており、前記貫通構造は、前記菌体保持担体が使用されるときに、前記菌体保持担体を横断する方向に貫通することを、特徴とする。
【００１３】
ここで、「横断する方向」とは、水平の成分を有する方向のことをいう。このため、前記貫通構造には、前記菌体保持担体が液体中に浸漬設置されるとき又は浸漬設置された後（即ち前記菌体保持担体が使用されるとき）に底面となる面以外の２種の面（即ち、側面同士及び側面と上面）を貫通する構造も含まれる。なお、ここでいう「面」は、平面だけでなく、曲面も含むものである。
【００１４】
上記のような構成の菌体保持担体であると、貫通構造の内壁によって菌体を保持することで、外乱の影響を抑制し、菌体を安定して担体に保持することが可能となる。また、菌体保持担体が液体中に設置された状態においては、該液体が菌体に接触しつつ貫通構造を通過することで、水流を滞留させること無く効率的に該液体の脱窒処理を行うことができる。なお、ここでいう「貫通構造」は、孔に限られず、溝等の形状も含むものである。
【００１５】
また、前記貫通構造は、前記菌体保持担体を貫通する貫通孔であってもよい。このような構成であると、貫通構造の断面が全周囲を壁面で囲われた構造とすることができる。このため、該貫通構造内で菌体が固着する面積を拡大できるとともに、該固着した菌体に外乱が加えられることをより抑制できる。このため、より安定して菌体を担体に保持することが可能となり、菌体が担体から剥離することをより効果的に抑止することができる。
【００１６】
さらに、前記貫通孔は、前記菌体保持担体が使用されるときに、該菌体保持担体を水平に貫通するものであってもよい。このような構成であると、菌体保持担体を液体から引き上げる際に、該液体が貫通孔から緩やかに流れ出るようにでき、菌体に加わる外乱を抑制することができる。このため、菌体が担体から剥離することをさらに効果的に抑止することが可能になる。
【００１７】
また、前記貫通孔は、前記菌体保持担体が使用されるときに、該菌体保持担体を斜めに貫通するものであってもよい。このような構成であると、菌体保持担体を液体から引き上げる際に、該液体が貫通孔から比較的緩やかに流れ出るようにでき、菌体の剥離を抑制することができる。また、窒素の分解処理時に発生するガスが、貫通構造から上方へ向かって抜けやすくなるため、ガスが貫通構造内に滞留することによって生じる処理効率の低下を防止することが可能になる。
【００１８】
また、前記貫通孔は、前記菌体保持担体が使用されるときに、該菌体保持担体をＶ字状
に貫通するものであってもよい。このような構成であると、菌体保持担体を液体から引き上げる際に、該液体が貫通孔から流れ出ないようにでき、この際の水流による菌体の剥離を抑制することができる。また、窒素の分解処理時に発生するガスが、貫通構造から上方へ向かって抜けやすくなるため、ガスが貫通構造内に滞留することによって生じる処理効率の低下を防止することも可能になる。
【００１９】
前記菌体保持担体は、複数の前記貫通構造を有していてもよい。このような構成によって、より多くの菌体を菌体保持担体に保持することが可能となり、汚水の処理効率を向上させることができる。
【００２０】
また、前記菌体保持担体が保持する前記菌体はアナモックス菌であってもよい。アナモックス菌は、粒状に菌塊を形成しながら増殖していく性状を有しているため、他菌と比較して保持担体に固着しづらく、菌塊が担体から剥離し易いという特徴を有している。このため、アナモックス菌に対して、菌体を担体に安定的に保持させることが可能となる、という本発明に係る前記菌体保持担体の効果を、より有効に活用することができる。
【００２１】
本発明に係る汚水処理装置は、前記菌体保持担体が浸漬された汚水処理装置である。また、本発明に係る汚水処理装置は、前記菌体保持担体と、該菌体保持担体の貫通構造に対し直交方向に液体が流動する処理槽と、を備えていてもよい。このような構成により、処理槽内において、担体の貫通構造内に保持された菌体が、該貫通構造を通り抜ける水流によって、剥離してしまうことを抑制することができる。
【００２２】
本発明に係る汚水処理装置の立ち上げ方法は、培養液に前記菌体保持担体を浸漬することで、前記菌体保持担体に前記菌体を保持させる工程と、前記菌体が保持された前記菌体保持担体を、前記培養液から引き上げる工程と、前記培養液から引き上げられた前記菌体保持担体を、汚水処理のための処理槽に移設する工程と、を有することを特徴とする。
【００２３】
この方法のように、既に菌体が保持された担体を、処理槽に移設することで、菌体が増殖することを待つ必要が無いため、汚水処理装置の立ち上げに係る工期を短縮することができる。また、菌体保持担体の移設の際に、担体に保持された菌体が剥離してしまうことを抑制することで、排水処理装置の初期性能を確保することが可能になる。
【発明の効果】
【００２４】
本発明は、上記のような状況に鑑み、窒素含有汚水の処理に用いる菌体保持担体において、該担体に加わる水流等の刺激により、該担体から菌体が剥離してしまうことを抑止することが可能な技術を提供することができる。
【図面の簡単な説明】
【００２５】
【図１】図１は実施例１に係る汚水処理装置の概略を示す模式図である。
【図２】図２は実施例１に係る汚水処理装置の処理槽の構成を表す概略図である。
【図３】図３Ａは実施例１に係る菌体保持担体の斜視図、図３Ｂは実施例１に係る菌体保持担体の正面図、図３Ｃは実施例１に係る菌体保持担体の側面図である。
【図４】図４は実験において用いた反応槽の構成を示す概略図である。
【図５】図５は実験に用いた担体と、比較担体の除去速度の結果を示すグラフである。
【図６】図６Ａは菌体保持担体の貫通構造の傾斜についての第１の変形例を表すから図である。図６Ｂは菌体保持担体の貫通構造の傾斜についての第２の変形例を表すから図である。図６Ｃは、菌体保持担体の貫通構造の傾斜についての第３の変形例を表す図である。
【図７】図７は菌体保持担体の貫通構造の形状についての第１の変形例を表す図である。
【図８】図８は菌体保持担体の貫通構造の形状についての第２の変形例を表す図である。
【図９】図９は菌体保持担体の貫通構造の形状についての第３の変形例を表す図である。
【図１０】図１０は菌体保持担体の基体及び貫通構造についての変形例を表す図である。
【図１１】図１１は実施例２に係る、汚水処理装置の立ち上げ方法の流れを表すフローチャートである。
【発明を実施するための形態】
【００２６】
以下に図面を参照して、この発明を実施するための形態を、実施例に基づいて例示的に詳しく説明する。ただし、この実施例に記載されている構成部品の寸法、材質、形状、その相対配置などは、特に記載がない限りは、この発明の範囲をそれらのみに限定する趣旨のものではない。
【００２７】
＜実施例１＞
図１は本実施例における汚水処理装置１の概略を示す模式図である。図１に示すように、汚水処理装置１は処理槽１０、調整槽２０、恒温槽３０、ｐＨ制御部４０を備えている。
【００２８】
処理槽１０は、後述の調整槽２０から供給される一次処理水を、アナモックス菌が付着した菌体保持担体１００を使用して、アナモックス反応により脱窒処理するための槽であり、該処理によって発生した窒素ガスを排気し、脱窒後の最終処理水を排出する。
【００２９】
調整槽２０は、予め処理対象の汚水（原水）中のアンモニア性窒素を部分的に酸化して亜硝酸性窒素とし、アンモニア性窒素と亜硝酸性窒素を所定の比率で含有する一次処理水を生成する槽である。一次処理水は調整槽２０からポンプ（不図示）によって処理槽１０へ供給される。
【００３０】
恒温槽３０は、処理槽１０内の一次処理水（以下、被処理水ともいう）の温度を一定に保つために、被処理水の温度調節を行う槽である。処理槽１０内の被処理水が恒温槽３０と処理槽１０を含む経路を循環することで、被処理水の温度が調整される。
【００３１】
ｐＨ制御部４０は、被処理水のｐＨを随時計測し、アナモックス反応によってアルカリ化する被処理水のｐＨを適切な値（ｐＨ８．０未満）に保つために希硫酸を適宜添加する。
【００３２】
図２は、処理槽１０の構成を表す概略図である。図２に示すように、処理槽１０は、一次処理水供給口１１、処理水排出口１２、窒素ガス排気口１３、硫酸注入口１４、恒温槽循環口１５ａ、１５ｂ、撹拌羽根１６、及び複数の菌体保持担体１００を備えている。なお、図中のＷ１は被処理水の槽内での水位を示している。
【００３３】
一次処理水供給口１１からは、前述の一次処理水が槽内に供給され、槽の内部に固定設置されている固定型の菌体保持担体１００に付着したアナモックス菌によって、被処理水中のアンモニア性窒素及び亜硝酸性窒素が窒素ガスと水とに分解される。そして、脱窒後の最終処理水、及び窒素ガスが、それぞれ処理水排出口１２、窒素ガス排気口１３、から排出される。なお、固定設置とは、菌体保持担体１００が被処理水中を流動しないように固定して設置されることをいう。
【００３４】
硫酸注入口１４からは、ｐＨ制御部４０によるｐＨ調整のための希硫酸が注入される。また、恒温槽循環口１５ａ、１５ｂを介して、被処理水が恒温槽３０を通過しつつ循環し、被処理水の温度が一定に保たれるようになっている。また、処理槽１０の底部中央には、撹拌羽根１６が設置されており、被処理水を撹拌することで、菌体保持担体１００に付着したアナモックス菌と被処理水とが偏り無く接触するようにし、処理効率を向上させる。
【００３５】
なお、一次処理水供給口１１、処理水排出口１２、窒素ガス排気口１３、硫酸注入口１４、恒温槽循環口１５ａ、１５ｂ、撹拌羽根１６、の各構成には任意の従来技術を用いればよいため、詳細な説明を省略する。また、複数の菌体保持担体１００を処理槽１０内に固定設置する機構についても同様である。
【００３６】
次に、本実施例における菌体保持担体１００について説明する。図３Ａから図３Ｃは本実施例における菌体保持担体１００を表しており、図３Ａは菌体保持担体１００の斜視図、図３Ｂは菌体保持担体１００の正面図、図３Ｃは菌体保持担体１００の側面図である。
【００３７】
図３Ａに示すように、本実施例にかかる菌体保持担体１００は、柱状の直方体である基体１０１に四角形の断面を有する貫通孔１０２が、水平に複数形成された構造である。基体１０１は、正面から見た幅方向の長さが１５ｍｍ、奥行き方向の長さが１０ｍｍ、縦の長さが３５０ｍｍであり、ポリウレタン製である。また、貫通孔１０２は、断面が底辺１０ｍｍ、高さ５ｍｍの長方形に形成されており、基体１０１の奥行き分（１０ｍｍ）の長さに亘る貫通構造である。本実施例においては、貫通孔１０２が３０個、基体１０１の縦方向の全体に亘って、均等な間隔で一列に形成されている。
【００３８】
このような菌体保持担体１００が複数、処理槽１０内に固定設置され、被処理液中において、上記の貫通孔１０２の内壁にアナモックス菌が付着し粒状に増殖する。こうして、貫通孔１０２の内壁において造粒したアナモックス菌と、被処理水が接触することで、アナモックス反応により脱窒が行われる。なお、この際生じた窒素ガスが、処理槽１０の上部に向けて排出されるように、処理槽１０内の複数の菌体保持担体１００は、貫通孔１０２の開口部が塞がらないように、向き及び／又は間隔を調整して配置される。
【００３９】
なお、上記の貫通孔１０２の内壁以外に、基体１０１の表面上にも、アナモックス菌が付着して造粒することが起こりえる。しかしながら、これらの多くは、処理槽内の水流などの外乱、自重によって菌体保持担体１００から剥離し、処理水と共に処理槽１０内から排出されてしまう。
【００４０】
前述のように、被処理水は処理槽１０の底部付近から入って、上部付近から排出されるため、例え撹拌羽根１６が稼働していない状態であっても、処理槽１０内には、菌体保持担体１００の貫通孔１０２に対して略直交方向の水流が生じることになる。このため、基体１０１の表面に付着したアナモックス菌は、このような水流に直接さらされることになり、容易に剥離してしまう。
【００４１】
この点、貫通孔１０２の内壁に付着したアナモックス菌は、上記のような水流の影響が少ないため、菌体保持担体１００からの剥離が抑制されることで安定的に増殖し、被処理水の処理効率を向上させることが出来る。このことは、次に示す実験例からも明らかである。
【００４２】
（実験例）
本実験例では、直径５ｍｍの円形の断面を有する奥行１０ｍｍの貫通孔が縦に３０個積層された固定床担体を用いて、アナモックス反応による排水処理リアクターの立ち上げ試
験を行った。また、４０ｍｍ×３８０ｍｍ×２０ｍｍの（貫通構造を有しない）不織布担体を用いて、同様の条件でアナモックス反応による排水処理リアクターの立ち上げ試験を行い、比較対象とした。
【００４３】
具体的には、図４に示す構造の３．５Ｌのジャケット付反応槽に各担体を充填して、処理対象水を供給し、越流した水を処理水として採取して、該処理水のＴ−Ｎ濃度と反応槽内の滞留時間から窒素除去速度を算出した。なお、充填率は、本実験例の担体が１９％、比較担体（不織布担体）が３４％であり、菌体保持部分の表面積は、本発明担体は１１７８ｃｍ2、比較担体が１２１６ｃｍ2である。
【００４４】
処理対象水（原水）の組成は、硫酸アンモニウム５５０ｍｇ／Ｌ、亜硝酸ナトリウム６５０ｍｇ／Ｌ、重炭酸カリウム５００ｍｇ／Ｌ、リン酸二水素カリウム２７ｍｇ／Ｌ、塩化カルシウム二水和物１８０ｍｇ／Ｌ、硫酸マグネシウム３００ｍｇ／Ｌおよび、微量金属１、２を１ｍｌ／Ｌとし、水温は３０°Ｃに調整した。なお、微量金属１の組成は、ＥＤＴＡ５ｇ／Ｌに硫酸鉄５ｇ／Ｌ、微量金属２の組成は、ＥＤＴＡ１５ｇ／Ｌに硫酸亜鉛七水和物０．４３ｇ／Ｌ、塩化コバルト六水和物０．２４ｇ／Ｌ、塩化マンガン四水和物０．９９ｇ／Ｌ硫酸銅五水和物０．２３ｇ／Ｌ、モリブデン酸ナトリウム二水和物０．２２ｇ／Ｌ、塩化ニッケル六水和物０．１９ｇ／Ｌ、セレン酸ナトリウム十水和物０．２１ｇ／Ｌ、ホウ酸０．０１４ｇ／Ｌである。
【００４５】
反応槽には、あらかじめ前記の原水組成で馴養させておいたアナモックス汚泥（種汚泥）をＳＳ濃度１００ｍｇ／Ｌになるように添加した。また、反応槽内のｐＨは、８．０未満となるように０．１Ｎ硫酸で制御した。
【００４６】
図５は、前記の条件における、本実験例の担体と、比較担体の除去速度の結果を示すグラフである。横軸は種汚泥添加後の経過日数を、縦軸は窒素除去速度を表す。図５に示す通り、本実験例の担体は、７０日で４．０ｋｇ／ｍ３／ｄまで除去速度が上昇した一方、比較担体は４０日で１．５ｋｇ／ｍ３／ｄに達したのち、除去速度が上昇しなくなった。
【００４７】
このような実験結果は、本実験例におけるアナモックス菌が貫通孔内壁で増殖し、菌塊を形成したために、剥離することが抑えられた一方で、比較担体は担体の表面に菌塊を形成し、増殖と剥離を繰り返したことを示している。
【００４８】
以上、説明したように、本実施例における菌体保持担体１００、及び汚水処理装置１によれば、貫通孔１０２の内壁で菌体が保持されることによって、担体に加わる水流等の外乱によって、菌体保持担体１００から菌体が剥離することを抑止することができる。
【００４９】
＜変形例＞
なお、上記実施例においては、菌体保持担体１００は、直方体の基体１０１に、四角形の断面を有する貫通孔１０２が複数形成されている構成であったが、菌体保持担体の構成は、基体、貫通構造ともに、前記の形状以外のものであってもよい。
【００５０】
（貫通構造の傾斜について）
図６Ａから図６Ｃは、菌体保持担体の貫通構造の傾斜についての変形例を表す図であり、それぞれ菌体保持担体を側面から見た図を示している。なお、図中の破線は、菌体保持担体の基体に形成された貫通構造を表している。
【００５１】
菌体保持担体における貫通構造は、水平なもの（即ち傾斜のないもの）に限定されない。図６Ａ及び図６Ｂに示すように、菌体保持担体を斜めに貫通するものであってもよい。また、必ずしも担体の一つの側面から、該側面と対向する面にかけて貫通している必要も
なく、図６Ｂに示すように、貫通孔の開口の一方が、基体の上面に形成されるものであってもよい。このように斜め方向の貫通構造を有することにより、菌体保持担体を水中から引き上げる際に、処理水が貫通孔から比較的緩やかに流れ出るようにでき、菌体の剥離を抑制することができる。なお、このような効果を顕著なものとするために、傾斜角は４５度以下としてもよい。
【００５２】
さらに、貫通構造が斜め方向に形成されることで、汚水の分解処理時に発生するガスが、貫通構造から上方へ向かって抜けやすくなるため、ガスが貫通構造内に滞留することによって生じる処理効率の低下を防止することも可能になる。
【００５３】
また、貫通構造は、図６Ｃに示すように、菌体保持担体を側面から見た際に、Ｖ字状となるように形成されていてもよい。このような構成であると、菌体保持担体を水中から引き上げる際に、処理水が貫通孔から流れ出ないようにでき、この際の水流による菌体の剥離を抑制することができる。また、汚水の分解処理時に発生するガスが、貫通構造から上方へ向かって抜けやすくなるため、ガスが貫通構造内に滞留することによって生じる処理効率の低下を防止することも可能になる。
【００５４】
（貫通構造の形状について）
図７から図１０はそれぞれ、菌体保持担体の貫通構造の形状についての変形例を表す斜視図である。菌体保持担体の貫通構造の形状についても、四角形の断面を有する貫通孔に限定されない。例えば三角形など、他の多角形の断面を有する貫通孔としてもよく、図７に示すように、円形の断面を有する貫通孔であってもよい。また、貫通孔の配置についても、縦一列である必要はなく、図７に示すように縦二列以上に形成されていてもよい。さらに、図８に示すように、貫通孔の形状は、多角形、円形以外の断面を有する構造であってもよい。
【００５５】
ただし、貫通孔の大きさについては、次に述べる理由から、正面視の断面積が２０ｍｍ2から４００ｍｍ2の間である事が望ましい。即ち、貫通孔の大きさが小さすぎると、貫通孔が造粒した菌塊で埋まってしまい、貫通孔内の壁面に付着した菌を汚水処理のために活用できなくなる場合がある。また、逆に貫通孔が大きすぎると、貫通孔内に付着した菌が水流などの外乱により剥離することを抑制する効果が弱くなる場合がある。
【００５６】
また、菌体保持担体の貫通構造は、正面視（即ち、鉛直方向の断面）において、全周囲が閉じている構造（孔）に限定されない。例えば、図９に示すように、一部が開いているような構造であってもよい。
【００５７】
以上のように、菌体保持担体の貫通構造は、狭く限定されず、様々な形状とすることができる。特に、アナモックス反応により汚水処理を行う場合においては、被処理水はアナモックス菌以外の菌が共存しにくい環境となっているため、曝気などによって担体への付着物を除去する必要がなく、貫通構造を複雑な形状としても、特段の不都合は生じない。
【００５８】
（基体の形状、構造について）
なお、菌体保持担体の基体の形状についても、直方体以外の形状とすることができる。例えば、直方体以外の多角柱形状であってもよいし、円柱形状であってもよい。また、このような柱状でなく、階段状の形状を有するものであってもよい。
【００５９】
また、基体は一体の成形物である必要もない。図１０Ａ及び１０Ｂは菌体保持担体の基体（及び貫通構造）についての変形例を示す斜視図である。図１０Ａ及び１０Ｂに示すように、菌体保持担体の基体は、複数の部材を組み合わせることによって構成されるものであってもよい。図１０Ａは、２枚の板状部材の間を波状の仕切り部材で仕切ることによっ
て貫通構造が形成された菌体保持担体を表しており、図１０Ｂは、図１０Ａの担体が二つ組み合わされたものを示している。
【００６０】
以上のように、菌体保持担体の基体の形状、構造は、狭く限定されず様々に変形することができる。ただし、基体の形状が極端に細いものであると、菌体の保持に有効な面積を有する貫通構造を形成できない場合があるため、基体の上部からの投影面積は２０ｍｍ２以上であることが望ましい。
【００６１】
＜実施例２＞
次に、本発明に係る他の実施例について説明する。本実施例は、実施例１の菌体保持担体１００を用いて、汚水処理装置を立ち上げる方法であり、装置の立ち上げ後に該装置の処理槽内でアナモックス菌を馴養、増殖（以下、培養ともいう）させるのではなく、このようなアナモックス菌の培養を立ち上げ工程に含むものである。図１１は、本実施例に係る汚水処理装置の立ち上げ方法の流れを表すフローチャートである。図１１に示すように、本実施例では、以下の方法によって汚水処理装置を立ち上げる。
【００６２】
まず、培養槽において、アナモックス菌の馴養に適した培養液に菌体保持担体１００を浸漬させて、該担体にアナモックス菌を付着、保持させる（ステップＳ１０１）。そして、該保持させたアナモックス菌を培養液中で馴養させる（ステップＳ１０２）。その後、菌体保持担体１００に保持されたアナモックス菌が十分に増殖すれば、菌体保持担体１００を培養液から引き上げ（ステップＳ１０３）、これを立ち上げる汚水処理装置の処理槽に移設する（Ｓ１０４）。
【００６３】
上記の様な汚水処理装置の立ち上げ方法であると、新設した汚水処理装置の処理槽内で菌体保持担体にアナモックス菌が増殖するのを待つ必要が無いため、汚水処理装置の立ち上げに係る工期を短縮することができる。即ち、本実施例の汚水処理装置の立ち上げ方法は、予め立ち上げ対象の装置とは別の培養槽において菌体保持担体にアナモックス菌を十分に増殖させておき、これを新設装置の処理槽に菌体保持担体ごと移設することを、立ち上げ工程に含むものである。
【００６４】
そして、菌体保持担体１００は、既に述べたような構造を有しているため、ステップＳ１０３において培養液から引き上げられた際、及びステップＳ１０４において新しい処理槽に移設された際に、水流などの外乱によって、担体に保持された菌体が剥離してしまうことを抑制できる。このため、ステップＳ１０２において馴養、増殖させたアナモックス菌が、移設作業に伴って減少してしまうことを抑制でき、汚水処理装置の初期性能を確保することが可能になる。
【００６５】
なお、本実施例では、使用する菌体保持担体を実施例１と同様のものとしたが、前記の変形例において説明した他の様々な形状の菌体保持担体を用いて、ステップＳ１０１からステップＳ１０４の工程により、汚水処理装置を立ち上げてもよい。
【００６６】
＜その他＞
上記の各実施例は、本発明を例示的に説明するものに過ぎず、本発明は上記の具体的な形態には限定されない。本発明はその技術的思想の範囲内で種々の変更が可能である。例えば、上記各実施例においては、菌体保持担体の材質は、ポリウレタン製であったが、担体の材質はこれに限られない。例えば、ナイロン等の他の樹脂、セラミックス等、自由変形せず、水分中に長時間設置されても担体としての強度を維持可能な素材であれば、他の材質であっても構わない。
【符号の説明】
【００６７】
１・・・汚水処理装置
１０・・・処理槽
１１・・・一次処理水供給口
１２・・・処理水排出口
１３・・・窒素ガス排気口
１４・・・硫酸注入口
１６・・・撹拌羽根
２０・・・調整槽
３０・・・恒温槽
４０・・・ｐＨ制御部
１００・・・菌体保持担体
【図１】
2018167229.tif 000003
【図２】
2018167229.tif 000004
【図３】
2018167229.tif 000005
【図４】
2018167229.tif 000006
【図５】
2018167229.tif 000007
【図６】
2018167229.tif 000008
【図７】
2018167229.tif 000009
【図８】
2018167229.tif 000010
【図９】
2018167229.tif 000011
【図１０】
2018167229.tif 000012
【図１１】
2018167229.tif 000013